(57)【要約】【課題】  毛髪の形状保持効果が比較的長期間持続し、日常のセットが容易で、膨らみを抑えたり、逆にボリュームを出すことができる毛髪形状の処理方法を提供する。【解決手段】  頭髪軟化剤を髪の根元から毛先かけて塗布し、テンションを加えつつ髪の向きを決め、根元をクリップで挟みヘアーキャップを被せる。加温には遠赤外線を用い５２℃で１８分間加温する。頭側部は濡らした伸縮性布地をターバン状に巻きながらヘアーキャップ内部の空気を押し出した後、その外部より加温する。１５分間程度の放置冷却時間をとり、その後に伸縮性布地及びヘアーキャップを取外す。毛髪の根元から方向性が定まり、これが維持される。毛髪や頭皮にやさしく安全であり、日常のセットが容易となり、ブラシが苦手の人も手の平若しくはタオルで押えるだけで膨らみを押えることができる。【特許請求の範囲】
【請求項１】
毛髪に軟化剤を塗布して軟化処理を行ない、毛髪根元方向の向きを定めてクリップで挟持し、前記方向を維持しながらヘアーキャップをし、その外部より熱を加えてヘアーキャップ内の温度を少なくとも５０℃以上に保ちながら少なくとも１５分間以上の加温時間を経て更に１５分間程度の放置冷却時間をとり、その後ヘアーキャップを取外し、前記軟化剤を洗浄してセットを行なうことで毛髪に所望の形状を付与することを特徴とする毛髪形状の処理方法。
【請求項２】
頭側部の毛髪にあっては、毛髪に軟化剤を塗布して軟化処理を行ない、毛髪根元方向の向きを定め、前記方向を維持しながらヘアーキャップをし、その外部より濡らした伸縮性布地をターバン状に巻きながらヘアーキャップ内部の空気を押し出した後、その外部より熱を加えてヘアーキャップ内の温度を少なくとも５０℃以上に保ちながら少なくとも１５分間以上の加温時間を経て更に１５分間程度の放置冷却時間をとり、その後伸縮性布地及びヘアーキャップを取外し、前記軟化剤を洗浄してセットを行なうことで毛髪に所望の形状を付与することを特徴とする毛髪形状の処理方法。
【発明の詳細な説明】
【技術分野】
【０００１】
この発明は、軟化剤を塗布して希望する頭髪形状を長期間保持できるようにした毛髪形状の処理方法に関するものである。
【背景技術】
【０００２】
毛髪に所望の形状を付与して長期間保持する処理方法としては、例えばアイパーやストレートパーマあるいはウェーブパーマ等がある。髪質が硬い人の場合、分け目が付けられない、前向きで髪が寝ているためボリュームが出ない、逆に頭皮から髪が直立しているので膨らみ易い等の特徴があり、髪の寝癖がなかなか取れなかったり、髪のセットが思い通りにならない等の悩みがあった。又頭側部の毛髪では髪が立っているため実際の長さより短く見えることがあった。これらの悩みを解消するためアイパー等の処理を行って所望の形状を付与する場合があった。
【０００３】
これら従来の毛髪形状処理方法は、毛髪に軟化剤を塗布して軟化処理を施した後、分割した毛髪に熱処理やヘアロッドを巻き、次に硬化剤を塗布或いはスプレーして硬化処理を施し、所定の時間経過後にヘアロッドが巻かれている場合にはこれを取り外し、その後洗浄・リンス処理等してセットを行なっていた。
【０００４】
このような従来の毛髪形状処理方法は、毛髪に軟化剤や硬化剤を十分に塗布等することにより、毛髪の硬度を変化させ、その過程で毛髪に熱処理を行ったり、或いはヘアロッドの着脱を行い形状処理を施すものであったが、これらの処理過程において、軟化剤や硬化剤が毛髪にダメージを与える恐れがあることから、これらの塗布等は一定の短い時間内に行う必要があった。このため各液剤を毛髪内部に十分に行き渡らせることが難しく、十分な毛髪の軟化処理や硬化処理が行えなかった。
【０００５】
軟化剤を塗布或いはスプレーして軟化処理した後の毛髪に所望の形状を付与する毛髪形状の処理方法としては、例えば下記に示すような従来技術があった。
【特許文献１】特開２０００−７９０１３号公報
【発明の開示】
【発明が解決しようとする課題】
【０００６】
本来セットしたスタイルを維持するためには、洗髪した後ブラシ等で髪型を固定する必要があるが、一般の人にはなかなか難しく、又日常の手入れとしては著しく面倒であった。アイパーやパーマを施した毛髪は、膨らみを抑えたり、逆にボリュームを出すことができ日常のセットが比較的楽に行なえる特徴があったが、従来の毛髪形状処理方法では、毛髪のもとの形に戻ろうとする力が強いため、毛髪の形状保持効果が比較的短期間に失われがちであった。
【０００７】
従って、これらの処理を行ってもかけたその日はよいが、洗髪をしてその後のセットが十分でないとボリュームが出なかったり、逆にすぐ膨らんでしまう恐れがあった。従来のアイパー技術は髪の根元から１ｃｍ程度上の部分を折り曲げるのであるが、１ヶ月半くらい経過すると毛髪の伸びが速いため、この折り目は２〜３ｃｍ上に移動してしまう。
【０００８】
又コールドパーマの場合も根元から１．５〜２ｃｍ上の部分をカールするので、同様にこの曲がり点が上に移動してしまう。折り目や曲がり点が移動した後、根元を起こしブラシでセットすることはかなり難しく、日常のセットがうまくできなくなる。
【０００９】
アイパーの場合、１６５℃程度の熱でかけないと毛髪が浮いてくるので、根元から１ｃｍ以下の点で曲げることは危険であった。従って結局アイパーやパーマをかけ直すことになり、費用もかかる上、強い薬剤の影響で髪を痛めることにもつながっていた。
【００１０】
この発明は、従来の毛髪形状の処理方法が有する上記の問題点を解消すべくなされたものであり、毛髪の形状保持効果が比較的長期間持続し、日常のセットが容易で、膨らみを抑えたり、逆にボリュームを出すことができる毛髪形状の処理方法を提供することを目的としている。
【課題を解決するための手段】
【００１１】
上記課題を解決するため、この発明の毛髪形状の処理方法は、毛髪に軟化剤を塗布して軟化処理を行ない、毛髪根元方向の向きを定めてクリップで挟持し、前記方向を維持しながらヘアーキャップをし、その外部より熱を加えてヘアーキャップ内の温度を少なくとも５０℃以上に保ちながら少なくとも１５分間以上の加温時間を経て更に１５分間程度の放置冷却時間をとり、その後ヘアーキャップを取外し、前記軟化剤を洗浄してセットを行なうことで毛髪に所望の形状を付与することを特徴とするものである。
【００１２】
軟化剤は例えば刷毛を用いて髪の根元あるいは根元から毛先かけて塗布し、髪の向きを決め、例えば分け目が入るようにテンションを加えつつ、髪が乱れないように注意しながら根元を少し大きめのクリップで挟む。クリップを押えるためゴムバンドをかけ、ヘアーキャップを被せる。ゴムバンドをかけることでセットが楽になる。
【００１３】
加温には遠赤外線を用いるのが望ましい。温度はパーマより少し高めの５０℃以上、望ましくは５２℃程度、加温時間は１５分間以上、望ましくは１８分間程度とする。毛髪は、その根元から方向性が定まり、これが維持される。
【００１４】
この毛髪形状の処理方法は、主に上部頭髪部に対して行われる。この場合、毛髪の長さは４〜５ｃｍ程度必要である。
【００１５】
請求項２記載の毛髪形状の処理方法は、頭側部の毛髪にあっては、毛髪に軟化剤を塗布して軟化処理を行ない、毛髪根元方向の向きを定め、前記方向を維持しながらヘアーキャップをし、その外部より濡らした伸縮性布地をターバン状に巻きながらヘアーキャップ内部の空気を押し出した後、その外部より熱を加えてヘアーキャップ内の温度を少なくとも５０℃以上に保ちながら少なくとも１５分間以上の加温時間を経て更に１５分間程度の放置冷却時間をとり、その後伸縮性布地及びヘアーキャップを取外し、前記軟化剤を洗浄してセットを行なうことで毛髪に所望の形状を付与することを特徴とするものである。
【００１６】
側部の場合、空気がキャップ内にあるとターバンでの押えが十分でなくなり、サイドの向きが甘くなる。伸縮性布地は吸水性があり、水か湯で完全に濡らし、それをよく絞り柔軟性を持たせ、幅を狭くしてテンションをかけながら巻く。その時キャップ内の空気を押し出しながら行なうと強く巻ける。伸縮性布地は加温されて乾燥してくると硬くなり、これにより固定されたターバンの強い締付力で押えられた側部頭髪は、毛髪根元から方向が変わる。なお、キャップには空気の出口をつけると押し出し易くなる。
【００１７】
頭側部の毛髪形状の処理方法は、長めに刈り上げた毛髪に対して行ない、短くとも１．５〜２．５ｃｍ程度の長さは必要である。なお、この程度の長さの場合、アイパーは危険であり、ドライヤーセットでは押えても寝かせられない。これは毛髪の長さが短いと弾性が強いためである。
【発明の効果】
【００１８】
この発明の毛髪形状の処理方法は、毛髪に軟化剤を塗布し根元の向きを定め加温するので、毛髪の根元から方向性が定まり、これが維持される。軟化剤を塗布するだけなので毛髪や頭皮にやさしく、加温する温度も比較的低いので安全であり、髪を痛めることもない。毛先をカットしても髪の根元の方向が修正されているので、その方向性は持続し、１回セットすれば髪質の柔らかい人で少なくとも３ヶ月、硬い人の場合は半年から一年間その方向性が持続する。
【００１９】
又、髪が伸びても折り目やカールが無いので自然のヘアースタイルとなる。このため他人が見ても変化が判らず、本人がセットする際初めて気付く技術である。なお、硬い髪質の場合には根元を見るとその変化を確認することが可能である。
【００２０】
この処理方法は毛髪の根元を起こしたり、逆に寝かしたりする技術である。根元の方向が悪いのにパーマやアイパーを行なっても２ヶ月程度で駄目になる。
【００２１】
髪の根元の向きを好みに合わせて定めると、日常のセットが容易となり、ブラシが苦手の人も手の平若しくはタオルで押えるだけで膨らみを押えることができるので５分程度でセットが終了する。アイパーをかける必要も無く、整髪料も不要である。上部の毛髪が直立する人も、この処理を行うと手の平で簡単に押えることができる。
【００２２】
請求項２記載の毛髪形状の処理方法は、ヘアーキャップ内部の空気を押し出しながら濡らした伸縮性布地をターバン状に巻き、その外部より加温するので、ターバンの強い締付力が得られ、押えられた側部頭髪は、毛髪根元から方向が変わり、頭側部の毛髪が膨らむのを確実に抑えることができる。押えられた毛髪は本来の長さで見られるため従来より長く見える。長さが短く方向を変えることが困難な頭側部の毛髪であっても、容易に方向を変えることができ、しかも短時間でできる。
【発明を実施するための最良の形態】
【００２３】
次にこの発明の実施の形態を詳細に説明する。軟化剤としては、ヘアーリンスの一種である頭髪軟化剤(例えば商品名ライブネスアドミット；ソワン株式会社製造、株式会社システム協会販売)１０ｇに香付けのヘアーリンス２〜３ｇを混ぜ、刷毛を用いて髪の根元から毛先かけて塗布し、分け目が入るようにテンションを加えつつ髪の向きを決め、根元を少し大きめのクリップで挟む。クリップを押えるためゴムバンドをかけ、ヘアーキャップを被せる。
【００２４】
加温には遠赤外線を用い５２℃で１８分間加温する。頭側部は濡らした伸縮性布地をターバン状に巻きながらヘアーキャップ内部の空気を押し出した後、その外部より加温する。１５分間程度の放置冷却時間をとり、その後に伸縮性布地及びヘアーキャップを取外す。軟化剤はお湯にて洗浄し、リンス処理をした後、ドライヤーで乾かし髪の方向をセットする。セットは手もしくはタオルで押えブラシで仕上げる。
【００２５】
毛髪の生え際、根元部分で方向を変え、膨らみを抑えたり、あるいはボリュームを出す。例えば頭頂・前頭の髪が前向きだとボリュームが出ないが、根元から後向きに方向を変えるとボリュームがでるのでアイパーもコールドパーマもかけないですむ。
【００２６】
この毛髪形状の処理方法を実施した場合、毛髪が硬く頭皮から垂直に向いている人は、サイドの髪が膨らみがちであるが、毛髪の根元から方向を変えるため、日常の手入れもセット時間が短縮し、セットが苦手の人も日常の洗髪後はドライヤーでよく乾かし、手若しくはタオルで押えるだけでセット可能となる。根元で向きを変えると頭と枕でうまく押えられるので髪の寝癖が付きにくく、寝癖がついた場合でも少し濡らして梳かすだけで直すことができる。
【００２７】
処理を行なった毛髪は、１１ヶ月経過後でも根元の角度はそのまま持続している。
<!DOCTYPE HTML
PUBLIC "-//W3C//DTD HTML 4.0 Transitional//EN">